(57)【特許請求の範囲】
【請求項１】
記録材に対して画像を形成する画像形成部と、
前記画像形成部から搬送される前記記録材の搬送方向を反転して当該記録材を搬送する反転搬送部と、
前記画像形成部から前記反転搬送部まで前記記録材が搬送される搬送経路から分岐し、分岐した搬送経路の搬送方向下流側で、前記記録材が排出される第１の排出部と、
前記反転搬送部から前記画像形成部まで前記記録材が搬送される経路であって、当該画像形成部から前記第１の排出部まで前記記録材が搬送される第１搬送経路部とは共用の搬送区間が存在しない反転搬送経路部と、
前記反転搬送経路部と、前記第１搬送経路部とが合流する合流部と、
前記合流部に設けられ、前記記録材の搬送経路を、前記第１搬送経路部または前記反転搬送経路部に切り替える搬送経路切替部と、
を備え、
前記搬送経路切替部は、前記合流部まで搬送された前記記録材を前記第１搬送経路部および前記反転搬送経路部の何れにも誘導可能な一の誘導面と、当該合流部まで搬送された当該記録材を介して当該一の誘導面に対向する他の誘導面とを有し、
前記一の誘導面および前記他の誘導面は、前記記録材を前記第１搬送経路部に誘導する場合に、前記合流部のうちの前記反転搬送経路部内に設けられ、当該記録材を当該反転搬送経路部に誘導する場合に、当該合流部のうちの当該第１搬送経路部内に設けられることを特徴とする画像形成装置。
【請求項２】
前記画像形成部から前記反転搬送部まで前記記録材が搬送される搬送経路から分岐し、前記第１の排出部が設けられた方向とは反対側に設けられ、前記記録材が排出される第２の排出部をさらに備え、
前記反転搬送経路部と、前記画像形成部から前記第２の排出部まで前記記録材が搬送される搬送経路部とは共用の搬送区間が存在しないことを特徴とする請求項１に記載の画像形成装置。
【請求項３】
前記反転搬送経路部に接続するとともに、前記画像形成部から前記反転搬送部まで前記記録材が搬送される搬送経路上に設けられ、当該画像形成部から当該反転搬送部へ搬送される前記記録材と接触することで弾性変形して当該記録材を当該反転搬送部へ案内し、当該反転搬送部が反転搬送する当該記録材が当該搬送経路上を戻ることを規制する一方案内部をさらに備えることを特徴とする請求項１に記載の画像形成装置。
【請求項４】
前記合流部に設けられ、前記記録材を、前記画像形成部または前記第１の排出部へ搬送する分岐搬送部をさらに備えることを特徴とする請求項１に記載の画像形成装置。
【請求項５】
前記搬送経路切替部は、回転軸を中心に回転し、前記第１搬送経路部または前記反転搬送経路部のいずれか一方への前記記録材の搬送を案内し、他方への搬送を規制することを特徴とする請求項１に記載の画像形成装置。
【請求項６】
前記第２の排出部へ前記記録材を排出する搬送部と、
前記反転搬送部の一部且つ前記搬送部の一部として共用され、前記記録材の前記第２の排出部への排出、および前記記録材の搬送方向の反転を行う共用部と、
をさらに備えることを特徴とする請求項２に記載の画像形成装置。
【請求項７】
記録材に対して画像を形成する画像形成部から搬送される当該記録材の搬送方向を反転して当該記録材を搬送する反転搬送部と、
前記画像形成部から前記反転搬送部まで前記記録材が搬送される搬送経路から分岐し、分岐した搬送経路の搬送方向下流側で、前記記録材が排出される排出部と、
前記反転搬送部から前記画像形成部まで前記記録材が搬送される経路であって、当該画像形成部から前記排出部まで前記記録材が搬送される搬送経路部とは共用の搬送区間が存在しない反転搬送経路部と、
前記反転搬送経路部と、前記搬送経路部とが合流する合流部と、
前記合流部に設けられ、前記記録材の搬送経路を、前記搬送経路部または前記反転搬送経路部に切り替える搬送経路切替部と、
を備え、
前記搬送経路切替部は、前記合流部まで搬送された前記記録材を前記搬送経路部および前記反転搬送経路部の何れにも誘導可能な一の誘導面と、当該合流部まで搬送された当該記録材を介して当該一の誘導面に対向する他の誘導面とを有し、
前記一の誘導面および前記他の誘導面は、前記記録材を前記搬送経路部に誘導する場合に、前記合流部のうちの前記反転搬送経路部内に設けられ、当該記録材を当該反転搬送経路部に誘導する場合に、当該合流部のうちの当該搬送経路部内に設けられることを特徴とする記録材搬送装置。
【請求項８】
記録材に対して画像を形成する画像形成部と、
前記画像形成部から搬送される前記記録材の搬送方向を反転して当該記録材を搬送する反転搬送部と、
前記画像形成部から前記反転搬送部まで前記記録材が搬送される搬送経路から分岐し、分岐した搬送経路の搬送方向下流側で、前記記録材が排出される排出部と、
前記画像が形成された前記記録材に対して後処理を施す後処理部と、
前記反転搬送部から前記画像形成部まで前記記録材が搬送される経路であって、当該画像形成部から前記排出部まで前記記録材が搬送される搬送経路部とは共用の搬送区間が存在しない反転搬送経路部と、
前記反転搬送部から前記画像形成部に向けての前記記録材の搬送を制御する制御部と、
前記反転搬送経路部と、前記搬送経路部とが合流する合流部と、
前記合流部に設けられ、前記記録材の搬送経路を、前記搬送経路部または前記反転搬送経路部に切り替える搬送経路切替部と、
を備え、
前記搬送経路切替部は、前記合流部まで搬送された前記記録材を前記搬送経路部および前記反転搬送経路部の何れにも誘導可能な一の誘導面と、当該合流部まで搬送された当該記録材を介して当該一の誘導面に対向する他の誘導面とを有し、
前記一の誘導面および前記他の誘導面は、前記記録材を前記搬送経路部に誘導する場合に、前記合流部のうちの前記反転搬送経路部内に設けられ、当該記録材を当該反転搬送経路部に誘導する場合に、当該合流部のうちの当該搬送経路部内に設けられることを特徴とする画像形成システム。
【発明の詳細な説明】
【技術分野】
【０００１】
本発明は、画像形成装置、記録材搬送装置、および画像形成システムに関する。
【背景技術】
【０００２】
特許文献１には、画像形成装置から片面に画像が形成された用紙を受け入れると、その用紙を進路切替爪により反転ローラのある方向に案内し、用紙の先端側がスイッチバック搬送路内を下方に向けて進行し、用紙の後端が進路切替爪を通り過ぎると、その進路切替爪が回動位置に切り替わり、反転ローラが反時計回り方向に逆回転し、用紙は、進路切替爪により再給紙路に案内される両面反転装置が開示されている。
また、特許文献２には、両面印字モードでは、定着器を通過した用紙は給紙口により搬送方向反転装置の搬送経路に搬入され、搬送ローラで搬送され、搬送方向反転部に搬入され、搬入口付近の用紙検知センサで、搬送方向反転部に搬入される用紙の後端を検知すると、搬送ローラは用紙より離間し、代わりに離間した状態であった搬送ローラが用紙を狭持し、搬送ローラにより用紙は反転装置の排紙口より搬出され、画像形成装置の印字部へ再度搬入されて両面印字される画像形成装置が開示されている。
【先行技術文献】
【特許文献】
【０００３】
【特許文献１】特開平１０−３３８４０４号公報
【特許文献２】特開２０００−３２７２０１号公報
【発明の概要】
【発明が解決しようとする課題】
【０００４】
画像形成装置では、両面印刷を行うため、画像形成部にて片面に画像が形成された記録材の搬送方向を反転させ、再び画像形成部へ搬送することがある。
ここで、搬送方向が反転して搬送される記録材が、画像が形成された記録材の排出部への排出に用いられる経路を逆走することがある。即ち、反転搬送される記録材の搬送区間と排出部へ搬送される記録材の搬送区間とで共用の搬送区間が存在する。そして、反転搬送される記録材と排出部へ搬送される記録材とが共用の搬送区間で接触することを防止するため、いずれか一方の記録材の搬送が共用の搬送区間を通過するまで、他方の記録材の搬送を中断することが必要となる場合がある。
本発明は、反転搬送される記録材および排出部へ搬送される記録材のいずれか一方の搬送が中断することが生じにくく、搬送の効率の向上を図ることができる画像形成装置等を提供することを目的とする。
【課題を解決するための手段】
【０００５】
請求項１に記載の発明は、記録材に対して画像を形成する画像形成部と、前記画像形成部から搬送される前記記録材の搬送方向を反転して当該記録材を搬送する反転搬送部と、前記画像形成部から前記反転搬送部まで前記記録材が搬送される搬送経路から分岐し、分岐した搬送経路の搬送方向下流側で、前記記録材が排出される第１の排出部と、前記反転搬送部から前記画像形成部まで前記記録材が搬送される経路であって、当該画像形成部から前記第１の排出部まで前記記録材が搬送される第１搬送経路部とは共用の搬送区間が存在しない反転搬送経路部と、前記反転搬送経路部と、前記第１搬送経路部とが合流する合流部と、前記合流部に設けられ、前記記録材の搬送経路を、前記第１搬送経路部または前記反転搬送経路部に切り替える搬送経路切替部と、を備え、前記搬送経路切替部は、前記合流部まで搬送された前記記録材を前記第１搬送経路部および前記反転搬送経路部の何れにも誘導可能な一の誘導面と、当該合流部まで搬送された当該記録材を介して当該一の誘導面に対向する他の誘導面とを有し、前記一の誘導面および前記他の誘導面は、前記記録材を前記第１搬送経路部に誘導する場合に、前記合流部のうちの前記反転搬送経路部内に設けられ、当該記録材を当該反転搬送経路部に誘導する場合に、当該合流部のうちの当該第１搬送経路部内に設けられることを特徴とする画像形成装置である。
請求項２に記載の発明は、前記画像形成部から前記反転搬送部まで前記記録材が搬送される搬送経路から分岐し、前記第１の排出部が設けられた方向とは反対側に設けられ、前記記録材が排出される第２の排出部をさらに備え、前記反転搬送経路部と、前記画像形成部から前記第２の排出部まで前記記録材が搬送される搬送経路部とは共用の搬送区間が存在しないことを特徴とする請求項１に記載の画像形成装置である。
請求項３に記載の発明は、前記反転搬送経路部に接続するとともに、前記画像形成部から前記反転搬送部まで前記記録材が搬送される搬送経路上に設けられ、当該画像形成部から当該反転搬送部へ搬送される前記記録材と接触することで弾性変形して当該記録材を当該反転搬送部へ案内し、当該反転搬送部が反転搬送する当該記録材が当該搬送経路上を戻ることを規制する一方案内部をさらに備えることを特徴とする請求項１に記載の画像形成装置である。
請求項４に記載の発明は、前記合流部に設けられ、前記記録材を、前記画像形成部または前記第１の排出部へ搬送する分岐搬送部をさらに備えることを特徴とする請求項１に記載の画像形成装置である。
請求項５に記載の発明は、前記搬送経路切替部は、回転軸を中心に回転し、前記第１搬送経路部または前記反転搬送経路部のいずれか一方への前記記録材の搬送を案内し、他方への搬送を規制することを特徴とする請求項１に記載の画像形成装置である。
請求項６に記載の発明は、前記第２の排出部へ前記記録材を排出する搬送部と、前記反転搬送部の一部且つ前記搬送部の一部として共用され、前記記録材の前記第２の排出部への排出、および前記記録材の搬送方向の反転を行う共用部と、をさらに備えることを特徴とする請求項２に記載の画像形成装置である。
請求項７に記載の発明は、記録材に対して画像を形成する画像形成部から搬送される当該記録材の搬送方向を反転して当該記録材を搬送する反転搬送部と、前記画像形成部から前記反転搬送部まで前記記録材が搬送される搬送経路から分岐し、分岐した搬送経路の搬送方向下流側で、前記記録材が排出される排出部と、前記反転搬送部から前記画像形成部まで前記記録材が搬送される経路であって、当該画像形成部から前記排出部まで前記記録材が搬送される搬送経路部とは共用の搬送区間が存在しない反転搬送経路部と、前記反転搬送経路部と、前記搬送経路部とが合流する合流部と、前記合流部に設けられ、前記記録材の搬送経路を、前記搬送経路部または前記反転搬送経路部に切り替える搬送経路切替部と、を備え、前記搬送経路切替部は、前記合流部まで搬送された前記記録材を前記搬送経路部および前記反転搬送経路部の何れにも誘導可能な一の誘導面と、当該合流部まで搬送された当該記録材を介して当該一の誘導面に対向する他の誘導面とを有し、前記一の誘導面および前記他の誘導面は、前記記録材を前記搬送経路部に誘導する場合に、前記合流部のうちの前記反転搬送経路部内に設けられ、当該記録材を当該反転搬送経路部に誘導する場合に、当該合流部のうちの当該搬送経路部内に設けられることを特徴とする記録材搬送装置である。
請求項８に記載の発明は、記録材に対して画像を形成する画像形成部と、前記画像形成部から搬送される前記記録材の搬送方向を反転して当該記録材を搬送する反転搬送部と、前記画像形成部から前記反転搬送部まで前記記録材が搬送される搬送経路から分岐し、分岐した搬送経路の搬送方向下流側で、前記記録材が排出される排出部と、前記画像が形成された前記記録材に対して後処理を施す後処理部と、前記反転搬送部から前記画像形成部まで前記記録材が搬送される経路であって、当該画像形成部から前記排出部まで前記記録材が搬送される搬送経路部とは共用の搬送区間が存在しない反転搬送経路部と、前記反転搬送部から前記画像形成部に向けての前記記録材の搬送を制御する制御部と、前記反転搬送経路部と、前記搬送経路部とが合流する合流部と、前記合流部に設けられ、前記記録材の搬送経路を、前記搬送経路部または前記反転搬送経路部に切り替える搬送経路切替部と、を備え、前記搬送経路切替部は、前記合流部まで搬送された前記記録材を前記搬送経路部および前記反転搬送経路部の何れにも誘導可能な一の誘導面と、当該合流部まで搬送された当該記録材を介して当該一の誘導面に対向する他の誘導面とを有し、前記一の誘導面および前記他の誘導面は、前記記録材を前記搬送経路部に誘導する場合に、前記合流部のうちの前記反転搬送経路部内に設けられ、当該記録材を当該反転搬送経路部に誘導する場合に、当該合流部のうちの当該搬送経路部内に設けられることを特徴とする画像形成システムである。
【発明の効果】
【０００６】
請求項１の発明によれば、合流部に他の誘導面が設けられない構成に比べて、合流部まで搬送された記録材が、第１搬送経路部および反転搬送経路部のうち一の誘導面が誘導しない方の内部に入ることを抑制することができる。
請求項２の発明によれば、反転搬送経路部と、画像形成部から第２の排出部まで記録材が搬送される搬送経路部とで共用の搬送区間が存在する場合に比べて、反転搬送される記録材および第２の排出部へ搬送される記録材のいずれか一方の搬送が中断することが生じにくくなる。
請求項３の発明によれば、記録材の排出経路への搬送と反転搬送経路への搬送との切り替えを、制御部による制御の必要なく行うことができる。
請求項４の発明によれば、記録材の反転搬送と排出のための搬送とを１の搬送部により行うことができる。
請求項５の発明によれば、用紙搬送経路の合流部に搬送部を設ける場合と比較して、用紙搬送経路の合流部における曲率半径を大きくすることができ、合流部を通過する記録材に曲がりが生じにくくなる。
請求項６の発明によれば、記録材の反転搬送と排出のための搬送とを、別々の駆動部を用いることなく行うことができる。
請求項７の発明によれば、合流部に他の誘導面が設けられない構成に比べて、合流部まで搬送された記録材が、搬送経路部および反転搬送経路部のうち一の誘導面が誘導しない方の内部に入ることを抑制することができる。
請求項８の発明によれば、合流部に他の誘導面が設けられない構成に比べて、合流部まで搬送された記録材が、搬送経路部および反転搬送経路部のうち一の誘導面が誘導しない方の内部に入ることを抑制することができる。
【図面の簡単な説明】
【０００７】
【図１】本実施形態にかかる画像形成システムの全体構成図である。
【図２】用紙搬送部の拡大図である。
【図３】（ａ）〜（ｃ）は用紙に両面印刷を行う動作と用紙に片面印刷を行い排出トレイへ搬送する動作とを連続的に行う場合におけるそれぞれの用紙の搬送の状態を示した図である。
【図４】（ａ）〜（ｃ）は用紙に両面印刷を行う動作と用紙に片面印刷を行いサイドトレイへ搬送する動作とを連続的に行う場合におけるそれぞれの用紙の搬送の状態を示した図である。
【図５】第５用紙搬送経路部と第６用紙搬送経路部との合流部において用紙の搬送経路を切り替えるための他の構成例を示した図である。
【図６】（ａ）、（ｂ）は回転ゲートの動作を示した図である。
【図７】（ａ）、（ｂ）は回転ゲートの他の構成例の動作を示した図である。
【図８】（ａ）、（ｂ）は合流部において用紙の搬送経路を切り替えるための他の構成例を示した図である。
【図９】反転ロールおよび第３搬送ロールの他の構成例を示した図である。
【発明を実施するための形態】
【０００８】
＜画像形成システムの説明＞
以下、添付図面を参照して、本発明の実施の形態について詳細に説明する。
図１は、本実施の形態にかかる画像形成システム１の全体構成図である。また、図２は、画像形成システム１のうち、画像が形成された用紙Ｐの搬送経路の拡大図である。
図１に示す画像形成システム１は、所謂タンデム型のカラープリンタであり、画像データに基づき画像形成を行う画像形成部１０と、画像形成部１０に向けて用紙Ｐを供給する給紙部２１とを備えている。
【０００９】
また、画像形成システム１は、画像形成部１０により画像形成を行った用紙Ｐを搬送する用紙搬送部７０と、画像形成を行った用紙Ｐを排出する用紙排出部５０とを備えている。さらに、画像形成システム１は、画像形成を行った用紙Ｐを集めて束ねる用紙積載部や用紙Ｐの端部を綴じる綴じ処理部などを含み、用紙搬送部７０の図中右側に設けられた後処理装置６０と、画像形成を行った用紙Ｐを後処理装置６０へ排出する排出口６１とを備えている。
【００１０】
そして、画像形成システム１は、画像形成部１０、給紙部２１、および用紙搬送部７０を内部に収容して保持する筐体４０を備えている。また、画像形成システム１は、画像形成システム１全体の動作を制御する制御部３０と、例えばパーソナルコンピュータ（ＰＣ）３や画像読取装置（スキャナ）４等との通信を行って画像データを受信する通信部３１と、通信部３１にて受信された画像データに対し予め定めた画像処理を施す画像処理部３２とを備えている。
【００１１】
給紙部２１は、第１用紙搬送経路部Ｒ１にそれぞれ用紙Ｐを供給する第１給紙トレイ２２および第２給紙トレイ２３を備えている。なお、第１給紙トレイ２２と第２給紙トレイ２３とは同様に構成されている。また、給紙部２１は、用紙Ｐを手差しする際に使用される手差しトレイ２４を備えている。さらに、給紙部２１は、第１給紙トレイ２２上、第２給紙トレイ２３上、および手差しトレイ２４上であって搬送方向下流側にそれぞれ設けられ、用紙Ｐを取り出して各トレイからの搬送経路に従って画像形成部１０の二次転写位置Ｔｒへと搬送する送り出しロール２５を備えている。第１給紙トレイ２２、第２給紙トレイ２３、手差しトレイ２４からそれぞれ延びる搬送経路は、第１用紙搬送経路部Ｒ１の上流側端部である合流部Ｇ１で合流する。
【００１２】
画像形成部１０は、一定の間隔を置いて並列的に配置されるイエロー（Ｙ）、マゼンタ（Ｍ）、シアン（Ｃ）、ブラック（Ｋ）の４つの画像形成ユニット１１Ｙ、１１Ｍ、１１Ｃ、１１Ｋ（以下、画像形成ユニット１１と総称する）を備えている。各画像形成ユニット１１は、静電潜像を形成してトナー像を保持する感光体ドラム１２と、感光体ドラム１２の表面を帯電する帯電器１３と、帯電器１３によって帯電された感光体ドラム１２を画像データに基づいて露光する露光器１４とを備えている。また、各画像形成ユニット１１は、感光体ドラム１２上に形成された静電潜像を現像する現像器１５と、転写後の感光体ドラム１２表面を清掃するクリーナ１６とを備えている。
【００１３】
さらに、画像形成部１０は、各画像形成ユニット１１の感光体ドラム１２にて形成された各色トナー像が多重転写される中間転写ベルト１７と、各画像形成ユニット１１による各色トナー像を中間転写ベルト１７に順次転写（一次転写）させる一次転写ロール１８と、中間転写ベルト１７上に転写された重畳トナー像を用紙Ｐに一括転写（二次転写）させる二次転写ロール１９と、及び二次転写された画像を用紙Ｐ上に定着させる定着器２０とを備えている。
【００１４】
用紙排出部５０は、用紙搬送部７０の一方の端部に設けられた排出トレイ５１と、排出トレイ５１とは反対側である用紙搬送部７０の他方の端部に設けられたサイドトレイ５２とを備える。
排出トレイ５１は、用紙搬送部７０の図中右側に設けられる。そして、片面印刷の用紙Ｐは、画像が形成されていない面が上を向いた状態で排出トレイ５１に排出される。なお、排出トレイ５１、および排出口６１は、第１の排出部および排出部としての一例である。
第２の排出部としての一例であるサイドトレイ５２は、用紙搬送部７０の図中左側に設けられる。そして、片面印刷の用紙Ｐは、画像が形成された面が上を向いた状態でサイドトレイ５２に排出される。
【００１５】
なお、本実施形態の画像形成システム１は、Ｙ、Ｍ、Ｃ、Ｋのカラー画像を用紙Ｐに形成する所謂カラー機である。しかしながら、画像形成システム１は、カラー機に限定されるものではない。画像形成システム１は、例えば用紙Ｐに白黒の画像を形成する所謂モノクロ機であっても構わない。
また、本実施形態の画像形成装置２は、画像形成部１０と、給紙部２１と、筐体４０と、用紙搬送部７０と、用紙排出部５０と、排出口６１とを備えている。
【００１６】
＜用紙搬送部の説明＞
続いて、画像が形成された用紙Ｐを搬送する用紙搬送部７０について説明する。
記録材搬送装置の一例としての用紙搬送部７０は、画像形成部１０により画像が形成された用紙Ｐを搬送方向下流側へ搬送する第１搬送ロール７１と、第１搬送ロール７１が搬送する用紙Ｐをさらに搬送方向下流側へ搬送する第２搬送ロール７２とを備えている。また、用紙搬送部７０は、第２搬送ロール７２が搬送する用紙Ｐを排出トレイ５１へ向けて搬送する第３搬送ロール７３と、第２搬送ロール７２が搬送する用紙Ｐの搬送方向を反転させる反転搬送ロール７４とを備えている。さらに、用紙搬送部７０は、反転搬送ロール７４が搬送方向を反転させて搬送する用紙Ｐを、サイドトレイ５２または再び画像形成部１０へ向けて搬送する分岐ロール７５を備えている。
【００１７】
また、用紙搬送部７０は、画像形成部１０から上方へ向かって延びて設けられ、用紙Ｐの排出トレイ５１への搬送に用いられる第２用紙搬送経路部Ｒ２と、第１搬送ロール７１と第２搬送ロール７２との間で第２用紙搬送経路部Ｒ２から図中右側へ分岐し、用紙Ｐの後処理装置６０への搬送に用いられる第３用紙搬送経路部Ｒ３とを備えている。さらに、用紙搬送部７０は、第２搬送ロール７２よりも搬送方向下流側で第２用紙搬送経路部Ｒ２から上方へ分岐するとともに図中右側へ曲がって設けられ、用紙Ｐの反転搬送ロール７４への搬送に用いられる第４用紙搬送経路部Ｒ４と、第４用紙搬送経路部Ｒ４から図中左側へ分岐するとともに、下方へ向かって延びて設けられ、用紙Ｐの合流部Ｇ１への再度の搬送に用いられる、反転搬送経路部の一例としての第５用紙搬送経路部Ｒ５を備えている。
【００１８】
またさらに、用紙搬送部７０は、反転搬送ロール７４よりも第４用紙搬送経路部Ｒ４の上流側で第４用紙搬送経路部Ｒ４から図中左側へ分岐し、用紙Ｐのサイドトレイ５２への搬送に用いられる第６用紙搬送経路部Ｒ６を備えている。
なお、第５用紙搬送経路部Ｒ５と第６用紙搬送経路部Ｒ６とは、搬送経路の途中で交差するが、それぞれ別々に設けられている。
【００１９】
そして、用紙搬送部７０は、第２用紙搬送経路部Ｒ２と第３用紙搬送経路部Ｒ３との分岐部Ｂ１付近に設けられ、用紙Ｐの搬送先を、第２用紙搬送経路部Ｒ２と第３用紙搬送経路部Ｒ３とで切り替える第１切替ゲート７６を備えている。また、用紙搬送部７０は、第２用紙搬送経路部Ｒ２と第４用紙搬送経路部Ｒ４との分岐部Ｂ２付近に設けられ、用紙Ｐの搬送先を、第２用紙搬送経路部Ｒ２と第４用紙搬送経路部Ｒ４とで切り替える第２切替ゲート７７を備えている。さらに、用紙搬送部７０は、第４用紙搬送経路部Ｒ４と第６用紙搬送経路部Ｒ６との分岐部Ｂ３付近に設けられ、用紙Ｐの搬送先を、第４用紙搬送経路部Ｒ４と第６用紙搬送経路部Ｒ６とで切り替える第３切替ゲート７８を備えている。またさらに、用紙搬送部７０は、第５用紙搬送経路部Ｒ５と第６用紙搬送経路部Ｒ６との合流部Ｇ２付近に設けられ、用紙Ｐの搬送先を、第５用紙搬送経路部Ｒ５と第６用紙搬送経路部Ｒ６とで切り替える第４切替ゲート７９とを備えている。
【００２０】
また、用紙搬送部７０は、第４用紙搬送経路部Ｒ４と第５用紙搬送経路部Ｒ５との分岐部Ｂ４付近に設けられ、用紙Ｐの第４用紙搬送経路部Ｒ４下流側への搬送を案内する一方搬送ゲート８０を備えている。さらに、用紙搬送部７０は、分岐部Ｂ２付近に設けられ、第２搬送ロール７２が第２用紙搬送経路部Ｒ２上を搬送する用紙Ｐの先端を検知する位置検知部ＰＳを備えている。
【００２１】
第１搬送ロール７１は、画像が形成された用紙Ｐを、第２用紙搬送経路部Ｒ２または第３用紙搬送経路部Ｒ３へ搬送する。
第１切替ゲート７６は、第２用紙搬送経路部Ｒ２上と第３用紙搬送経路部Ｒ３上とにそれぞれ突出可能に設けられる。そして、第１搬送ロール７１による用紙Ｐの搬送先を第３用紙搬送経路部Ｒ３に切り替える場合、第１切替ゲート７６は、第２用紙搬送経路部Ｒ２上に突出し、用紙Ｐを、第３用紙搬送経路部Ｒ３へ案内する。一方、用紙Ｐの搬送先を第２用紙搬送経路部Ｒ２とする場合、第１切替ゲート７６は、第３用紙搬送経路部Ｒ３上に突出し、用紙Ｐを、第２用紙搬送経路部Ｒ２の下流側へ案内する。
【００２２】
第２搬送ロール７２は、第１切替ゲート７６が第２用紙搬送経路部Ｒ２へ案内する用紙Ｐを、第２用紙搬送経路部Ｒ２の下流側、第４用紙搬送経路部Ｒ４、または、第６用紙搬送経路部Ｒ６へ搬送する。
位置検知部ＰＳは、第２搬送ロール７２が搬送する用紙Ｐの先端部の通過を検知し、制御部３０に検知信号を送信する。制御部３０は、位置検知部ＰＳから信号を受信して用紙Ｐの位置情報を取得する。そして、第５用紙搬送経路部Ｒ５上を搬送される用紙Ｐと第６用紙搬送経路部Ｒ６上を搬送される他の用紙Ｐとが接触しないよう、用紙Ｐの搬送を制御する。
【００２３】
第２切替ゲート７７は、第２用紙搬送経路部Ｒ２上と第４用紙搬送経路部Ｒ４上とにそれぞれ突出可能に設けられる。そして、第２搬送ロール７２による用紙Ｐの搬送先を第４用紙搬送経路部Ｒ４に切り替える場合、第２切替ゲート７７は、第２用紙搬送経路部Ｒ２上に突出し、用紙Ｐを、第４用紙搬送経路部Ｒ４へ案内する。一方、用紙Ｐの搬送先を第２用紙搬送経路部Ｒ２とする場合、第２切替ゲート７７は、第４用紙搬送経路部Ｒ４上に突出し、用紙Ｐを、第２用紙搬送経路部Ｒ２の下流側へ案内する。
【００２４】
搬送部の一例としての第３搬送ロール７３は、押圧ロールと駆動ロールとからなるロール対により構成される。第３搬送ロール７３は、第２切替ゲート７７が第２用紙搬送経路部Ｒ２へ案内する用紙Ｐを、排出トレイ５１へ向けて搬送する。
【００２５】
第３切替ゲート７８は、第４用紙搬送経路部Ｒ４上と第６用紙搬送経路部Ｒ６上とにそれぞれ突出可能に設けられる。そして、第２搬送ロール７２による用紙Ｐの搬送先を第６用紙搬送経路部Ｒ６に切り替える場合、第３切替ゲート７８は、第４用紙搬送経路部Ｒ４上に突出し、用紙Ｐを、第６用紙搬送経路部Ｒ６へ案内する。一方、用紙Ｐの搬送先を第４用紙搬送経路部Ｒ４とする場合、第３切替ゲート７８は、第６用紙搬送経路部Ｒ６上に突出し、用紙Ｐを、第４用紙搬送経路部Ｒ４の下流側へ案内する。
【００２６】
一方案内部の一例としての一方搬送ゲート８０は、一方の端部８０Ａが第５用紙搬送経路部Ｒ５を構成する壁面（不図示）に接続する。また、一方搬送ゲート８０の他方の端部８０Ｂは、分岐部Ｂ４より上流側で、第４用紙搬送経路部Ｒ４を構成する壁面（不図示）上に設けられる。そして、第４用紙搬送経路部Ｒ４上を搬送される用紙Ｐが、一方搬送ゲート８０に接触すると、一方搬送ゲート８０は、用紙Ｐに押され、他方の端部８０Ｂが図中矢印Ａ方向へ移動するように弾性変形する。これにより、用紙Ｐの搬送経路が確保され、用紙Ｐは、反転搬送ロール７４に向かって搬送される。
【００２７】
一方、反転搬送ロール７４が反転搬送する用紙Ｐが、一方搬送ゲート８０の上部と接触しても、一方搬送ゲート８０の下部に位置する第４用紙搬送経路部Ｒ４を構成する壁面が、一方搬送ゲート８０の下方への移動を規制する。そのため、一方搬送ゲート８０の他方の端部８０Ｂは移動しない。そして、用紙Ｐは、一方搬送ゲート８０の案内により、第５用紙搬送経路部Ｒ５へ搬送される。
【００２８】
なお、一方搬送ゲート８０の構成は、第１切替ゲート７６と同様の構成としてもよい。この場合、用紙Ｐが、第４用紙搬送経路部Ｒ４上を搬送される際には、一方搬送ゲート８０は、第４用紙搬送経路部Ｒ４から退避している。そして、用紙Ｐが、第５用紙搬送経路部Ｒ５上を反転搬送される際には、一方搬送ゲート８０は、第４用紙搬送経路部Ｒ４上に突出し、用紙Ｐを、第５用紙搬送経路部Ｒ５の下流側へ案内する。
【００２９】
反転搬送部の一例としての反転搬送ロール７４は、押圧ロールと駆動ロールとからなるロール対により構成される。反転搬送ロール７４は、第４用紙搬送経路部Ｒ４上を搬送される用紙Ｐをさらに下流側へ搬送する方向に回転（正転）する。また、用紙Ｐの後端が一方搬送ゲート８０を通過すると、回転方向が反転し、用紙Ｐを第５用紙搬送経路部Ｒ５へ向けて搬送する。
分岐搬送部の一例としての分岐ロール７５は、合流部Ｇ２に設けられる。分岐ロール７５は、第５用紙搬送経路部Ｒ５上を搬送される用紙Ｐをその下流側へ搬送する。また、第６用紙搬送経路部Ｒ６上を搬送される用紙Ｐを、サイドトレイ５２へ向けて搬送する。
【００３０】
第４切替ゲート７９は、第５用紙搬送経路部Ｒ５上と第６用紙搬送経路部Ｒ６上とにそれぞれ突出可能に設けられる。そして、用紙Ｐの搬送先を第６用紙搬送経路部Ｒ６に切り替える場合、第４切替ゲート７９は、第５用紙搬送経路部Ｒ５上に突出し、用紙Ｐを、第６用紙搬送経路部Ｒ６へ案内する。一方、用紙Ｐの搬送先を第５用紙搬送経路部Ｒ５に切り替える場合、第４切替ゲート７９は、第６用紙搬送経路部Ｒ６上に突出し、用紙Ｐを、第５用紙搬送経路部Ｒ５の下流側へ案内する。
【００３１】
＜用紙に両面印刷を行う動作と用紙に片面印刷を行い排出トレイへ搬送する動作とを連続的に行う場合における用紙の搬送の状態の説明＞
続いて、ユーザが、画像形成システム１に対して複数の印刷指示を連続的に行う場合における、それぞれの用紙Ｐの搬送の状態について説明する。
図３（ａ）〜（ｃ）は、ユーザが、画像形成システム１に対して、用紙Ｐに両面印刷を施して排出トレイ５１へ排出する指示と用紙Ｐに片面印刷を施して排出トレイ５１へ排出する指示とを連続的に出す場合における、それぞれの用紙Ｐの搬送状態を示した図である。
【００３２】
まず、ユーザからの両面印刷指示を受けて、給紙部２１から給紙された１枚目の用紙Ｐ１（以下、用紙Ｐ１と称する）は、画像形成部１０にて片面に画像が形成された後に、第１搬送ロール７１により第２用紙搬送経路部Ｒ２上を搬送される。そして、図３（ａ）に示すように、第２搬送ロール７２が用紙Ｐ１を搬送する。また、位置検知部ＰＳは、用紙Ｐ１の先端の通過を検知する。ここで、用紙Ｐ１よりも搬送方向下流側に他の用紙Ｐは存在せず、用紙Ｐ１が他の用紙Ｐと接触するおそれがないため、用紙Ｐ１は、搬送が中断されることなく下流側へ搬送される。
【００３３】
第２切替ゲート７７は、第２用紙搬送経路部Ｒ２上に突出し、用紙Ｐ１を第４用紙搬送経路部Ｒ４へ案内する。また、第３切替ゲート７８は、第６用紙搬送経路部Ｒ６上に突出し、用紙Ｐ１を、第４用紙搬送経路部Ｒ４の下流側へ案内する。
その後、第４用紙搬送経路部Ｒ４上を搬送される用紙Ｐ１は、一方搬送ゲート８０を押して、一方搬送ゲート８０と第４用紙搬送経路部Ｒ４との間で用紙Ｐ１が通過する隙間を確保しながら、下流側へ搬送される。
【００３４】
そして、図３（ｂ）に示すように、用紙Ｐ１が、一方搬送ゲート８０を通過して反転搬送ロール７４に到達すると、反転搬送ロール７４は、回転が正転から反転に切り替わる。これにより、用紙Ｐ１の搬送方向が、図中矢印Ｂ方向から図中矢印Ｃ方向に反転する。
一方、ユーザによる片面印刷指示を受けて、２枚目の用紙Ｐ２（以下、用紙Ｐ２と称する）は、画像形成部１０で画像が形成され、第１搬送ロール７１により、第２用紙搬送経路部Ｒ２上を搬送される。
【００３５】
位置検知部ＰＳは、用紙Ｐ２の先端を検知する。ここで、用紙Ｐ２が搬送される第２用紙搬送経路部Ｒ２上に用紙Ｐ１は存在せず、用紙Ｐ１と用紙Ｐ２とは接触しない。そのため、用紙Ｐ２は、搬送が中断されることなく下流側へ搬送される。
【００３６】
そして、図３（ｃ）に示すように、第２切替ゲート７７は、第４用紙搬送経路部Ｒ４上に突出し、用紙Ｐ２を、第２用紙搬送経路部Ｒ２の下流側へ案内する。その後、用紙Ｐ２は、排出トレイ５１に排出される。
一方、用紙Ｐ１は、一方搬送ゲート８０の案内により、第５用紙搬送経路部Ｒ５上を搬送される。第４切替ゲート７９は、第６用紙搬送経路部Ｒ６上に突出し、用紙Ｐ１を、第５用紙搬送経路部Ｒ５の下流側へ案内する。また、分岐ロール７５は、用紙Ｐ１を、第５用紙搬送経路部Ｒ５の下流側へ搬送する。そして用紙Ｐ１は、合流部Ｇ１を経て、再び画像形成部１０の二次転写位置Ｔｒに到達する。
【００３７】
その後、用紙Ｐ１は、画像が形成されていない方の面に対して画像が形成されることで両面印刷が施され、排出トレイ５１に排出される。
このようにして、画像形成システム１が、用紙Ｐ１に対して両面印刷を施して排出トレイ５１へ排出する動作、および用紙Ｐ２に対して片面印刷を施して排出トレイ５１へ排出する動作が完了する。
【００３８】
本実施の形態では、用紙Ｐの排出トレイ５１への搬送に用いられる第２用紙搬送経路部Ｒ２と、用紙Ｐの反転搬送に用いられる第５用紙搬送経路部Ｒ５とが別に設けられ、共用の搬送区間が存在しない。そのため、両面印刷する動作と片面印刷した用紙Ｐを排出トレイ５１へ排出する動作とを連続的に行った場合であっても、用紙Ｐ１と用紙Ｐ２とは接触しない。したがって、用紙Ｐ１および用紙Ｐ２の搬送は中断しない。このことは、画像形成システム１が、用紙Ｐについて両面印刷を行い排出トレイ５１へ排出する動作を連続的に行う場合における、片面印刷後に反転搬送される用紙Ｐ１と両面印刷後に排出トレイ５１へ搬送される用紙Ｐ２との関係についても同様である。
【００３９】
＜用紙に両面印刷を行う動作と用紙に片面印刷を行いサイドトレイへ搬送する動作とを連続的に行う場合におけるそれぞれの用紙の搬送の状態の説明＞
図４（ａ）〜（ｃ）は、ユーザが、画像形成システム１に対して、用紙Ｐ１について両面印刷を施す指示と、用紙Ｐ２について片面印刷を施してサイドトレイ５２へ排出する指示とを連続的に出した場合における、用紙Ｐ１、用紙Ｐ２の搬送の状態を示した図である。
【００４０】
まず、図４（ａ）に示すように、片面に画像が形成された用紙Ｐ１が反転搬送ロール７４に到達すると、反転搬送ロール７４が、用紙Ｐ１の搬送方向を反転させる。そして、用紙Ｐ２は、片面に画像が形成された後に、第１搬送ロール７１により、第２用紙搬送経路部Ｒ２上を搬送される。ここまでの用紙搬送動作は、図３（ａ）、（ｂ）と同様である。
【００４１】
そして、位置検知部ＰＳは、用紙Ｐ２の先端を検知する。ここで、用紙Ｐ２の搬送を中断せずに継続させた場合、合流部Ｇ２において、第５用紙搬送経路部Ｒ５上を搬送される用紙Ｐ１と第６用紙搬送経路部Ｒ６上を搬送される用紙Ｐ２とが接触する。
【００４２】
そこで、図４（ｂ）に示すように、第２搬送ロール７２による搬送が中断する。一方、用紙Ｐ１は、第５用紙搬送経路部Ｒ５上を搬送され、分岐ロール７５に到達する。そして、第２搬送ロール７２は、合流部Ｇ２において用紙Ｐ１と接触しないタイミングで、用紙Ｐ２の搬送を再開する。
【００４３】
そして、図４（ｃ）に示すように、用紙Ｐ２は、第６用紙搬送経路部Ｒ６上を搬送され、分岐ロール７５に到達する。このとき、用紙Ｐ１は、既に分岐ロール７５よりも下流側で、第５用紙搬送経路部Ｒ５上を搬送される。そのため、用紙Ｐ１と用紙Ｐ２とは、接触することなく、搬送がなされる。その後、用紙Ｐ２は、第６用紙搬送経路部Ｒ６上を搬送され、サイドトレイ５２に排出される。
【００４４】
また、用紙Ｐ１は、再び二次転写位置Ｔｒに到達し、画像が形成されていない面について画像の形成が行われた後に、排出トレイ５１またはサイドトレイ５２に排出される。
このようにして、画像形成システム１が、用紙Ｐ１に対して両面印刷を行う動作、および用紙Ｐ２に対して片面印刷を行いサイドトレイ５２へ排出する動作が完了する。
【００４５】
本実施の形態では、用紙Ｐを反転して搬送するために用いられる第５用紙搬送経路部Ｒ５と、用紙Ｐのサイドトレイ５２への搬送に用いられる第６用紙搬送経路部Ｒ６とは、合流部Ｇ２のみ搬送経路が重なるが、共用の搬送区間は存在しない。そのため、反転搬送される用紙Ｐが、用紙Ｐの排出経路を逆走する共用区間が存在する場合に比べて、反転搬送される用紙Ｐおよび排出経路上を搬送される用紙Ｐのいずれか一方の搬送を中断する場合の中断時間が短縮する。
このことは、画像形成システム１が、用紙Ｐについて両面印刷を行いサイドトレイ５２に排出する動作を連続的に行う場合における、片面印刷後に反転搬送される用紙Ｐ１と両面印刷後にサイドトレイ５２へ搬送される用紙Ｐ２との関係についても、同様である。
【００４６】
なお、第５用紙搬送経路部Ｒ５上を反転搬送される用紙Ｐ１と第６用紙搬送経路部Ｒ６上を搬送される用紙Ｐ２との関係で、用紙Ｐ２が用紙Ｐ１よりも先に合流部Ｇ２に到達する場合は、用紙Ｐ２の搬送を中断しなくてもよい。この場合、反転搬送ロール７４は、用紙Ｐ１を保持しつつ、用紙Ｐ１の搬送を中断する。そして、反転搬送ロール７４は、合流部Ｇ２において用紙Ｐ２と接触しないタイミングで、用紙Ｐ１の搬送を再開する。
【００４７】
＜第５用紙搬送経路部と第６用紙搬送経路部との合流部において用紙の搬送経路を切り替えるための他の構成例＞
図５は、合流部Ｇ２において用紙Ｐの搬送経路を切り替えるための他の構成例を示した図である。なお、図２に示した構成と同様な構成については同一の符号を用いる。
図５に示す構成例では、用紙搬送部７０は、合流部Ｇ２に設けられ、合流部Ｇ２に到達する用紙Ｐの下流側への搬送を案内する回転ゲート８１を備えている。回転ゲート８１は、三角形状からなり、三角形の中心部を回転軸として回転する。そして、三角形の一辺が、第５用紙搬送経路部Ｒ５または第６用紙搬送経路部Ｒ６のいずれか一方に突出して、突出した用紙搬送経路部への用紙Ｐの搬送を規制する。なお、第４切替ゲート７９および回転ゲート８１は、搬送経路切替部としての一例である。
【００４８】
図６は、回転ゲート８１の動作を示した図である。
図６（ａ）に示すように、用紙Ｐが、合流部Ｇ２よりも上流側で第５用紙搬送経路部Ｒ５上を搬送されている場合がある。この場合、回転ゲート８１の回転により、回転ゲート８１の一辺８１Ａが、第６用紙搬送経路部Ｒ６に突出する。このとき、回転ゲート８１の一辺８１Ａは、合流部Ｇ２よりも下流側の第５用紙搬送経路部Ｒ５に向かって延びている。
【００４９】
そして、この一辺８１Ａと、合流部Ｇ２における第５用紙搬送経路部Ｒ５とがなす角度θは鋭角を構成する。そのため、第５用紙搬送経路部Ｒ５上を搬送される用紙Ｐが、合流部Ｇ２よりも下流側の第６用紙搬送経路部Ｒ６へ向かう場合であっても、一辺８１Ａが、用紙Ｐの第６用紙搬送経路部Ｒ６への搬送を規制する。そして、用紙Ｐを、第５用紙搬送経路部Ｒ５の下流側へ案内する。
【００５０】
また、図６（ｂ）に示すように、用紙Ｐが、合流部Ｇ２よりも上流側で第６用紙搬送経路部Ｒ６上を搬送されている場合、回転ゲート８１の回転により、一辺８１Ａが、第５用紙搬送経路部Ｒ５上に突出する。そして、一辺８１Ａと、合流部Ｇ２における第６用紙搬送経路部Ｒ６とがなす角度θは鋭角を構成する。そのため、第６用紙搬送経路部Ｒ６上を搬送される用紙Ｐが、合流部Ｇ２よりも下流側の第５用紙搬送経路部Ｒ５に向かう場合であっても、一辺８１Ａが、用紙Ｐの第５用紙搬送経路部Ｒ５への搬送を規制する。そして、用紙Ｐを、第６用紙搬送経路部Ｒ６の下流側へ案内する。
【００５１】
本実施の形態では、回転ゲート８１が、合流部Ｇ２に設けられ、用紙Ｐの、第５用紙搬送経路部Ｒ５または第６用紙搬送経路部Ｒ６への搬送の切り替えを行う。これにより、合流部Ｇ２に分岐ロール７５を設ける場合に比べて、第５用紙搬送経路部Ｒ５および第６用紙搬送経路部Ｒ６の合流部Ｇ２における曲率半径を大きく構成することが可能となる。用紙搬送経路部の合流部Ｇ２における曲率半径が大きくなると、用紙Ｐの、合流部Ｇ２を通過する際に生じる曲がりや搬送抵抗が低減する。
【００５２】
図７は、回転ゲート８１の他の構成例を示した図である。
図７に示す回転ゲート８１は、回転軸と、回転軸を介して互いに対向するゲート板８１Ｂおよびゲート板８１Ｃとからなる。
図７（ａ）に示すように、用紙Ｐが、合流部Ｇ２よりも上流側で第５用紙搬送経路部Ｒ５上を搬送されている場合がある。この場合、回転ゲート８１の回転により、ゲート板８１Ｂが、合流部Ｇ２よりも下流側の第６用紙搬送経路部Ｒ６上に突出し、ゲート板８１Ｃが、合流部Ｇ２よりも上流側の第６用紙搬送経路部Ｒ６上に突出する。
【００５３】
このとき、ゲート板８１Ｂ、８１Ｃは、いずれも合流部Ｇ２における第５用紙搬送経路部Ｒ５に沿って設けられる。そのため、合流部Ｇ２よりも上流側で第５用紙搬送経路部Ｒ５上を搬送される用紙Ｐが、合流部Ｇ２で第６用紙搬送経路部Ｒ６へ向かう場合であっても、ゲート板８１Ｂ、８１Ｃが、用紙Ｐの第６用紙搬送経路部Ｒ６への搬送を規制する。そして、用紙を、第５用紙搬送経路部Ｒ５の下流側へ案内する。
【００５４】
また、図７（ｂ）に示すように、用紙Ｐが、合流部Ｇ２よりも上流側で第６用紙搬送経路部Ｒ６上を搬送されている場合がある。この場合、回転ゲート８１の回転により、ゲート板８１Ｂが、合流部Ｇ２よりも上流側の第５用紙搬送経路部Ｒ５上に突出し、ゲート板８１Ｃが、合流部Ｇ２よりも下流側の第５用紙搬送経路部Ｒ５上に突出する。
【００５５】
そして、ゲート板８１Ｂ、８１Ｃは、いずれも合流部Ｇ２における第６用紙搬送経路部Ｒ６に沿って設けられる。そのため、合流部Ｇ２よりも上流側で第６用紙搬送経路部Ｒ６上を搬送される用紙Ｐが、合流部Ｇ２で第５用紙搬送経路部Ｒ５へ向かう場合であっても、ゲート板８１Ｂ、８１Ｃが、用紙Ｐの第５用紙搬送経路部Ｒ５への搬送を規制する。そして、用紙を、第６用紙搬送経路部Ｒ６の下流側へ案内する。
【００５６】
このように、回転ゲート８１が、ゲート板８１Ｂ、８１Ｃからなる構成であっても、回転ゲート８１が第５用紙搬送経路部Ｒ５または第６用紙搬送経路部Ｒ６のいずれか一方に突出することにより、突出した用紙搬送経路部への用紙Ｐの搬送を規制する。
また、回転ゲート８１は、搬送を規制する経路について、合流部Ｇ２の上流側と下流側とに突出する。そのため、合流部Ｇ２に到達する用紙Ｐに曲がりが発生している場合であっても、用紙Ｐが搬送を予定していない経路の上流側へ逆走することが抑制される。
【００５７】
図６、７に示した構成例では、回転ゲート８１が、用紙Ｐを一方の用紙搬送経路部へ案内する際に、他方の用紙搬送経路部を塞ぐ構成を有している。ここで、回転ゲート８１は、他方の用紙搬送経路部を塞ぐ構成を有していなくても、一方の用紙搬送経路部への用紙Ｐの搬送を案内する構成であればいい。
また、回転ゲート８１を用いる代わりに、用紙搬送経路部を構成する壁面が、用紙Ｐの一方の用紙搬送経路部への搬送を案内する構成であってもよい。
【００５８】
図８は、合流部Ｇ２において用紙Ｐの搬送経路を切り替えるための他の構成例を示した図である。
図８（ａ）に示すように、用紙Ｐが、合流部Ｇ２よりも上流側で第５用紙搬送経路部Ｒ５上を搬送されている場合がある。この場合、合流部Ｇ２よりも下流側における第５用紙搬送経路部Ｒ５を構成する壁面の一部が回転することにより、合流部Ｇ２よりも下流側の予め定められた区間において、第５用紙搬送経路部Ｒ５の幅が、下流側に進むにしたがって狭くなるように構成される。また、合流部Ｇ２よりも上流側における第６用紙搬送経路部Ｒ６を構成する壁面の一部が回転することにより、回転した壁面は、用紙搬送経路外に退避する。そして、用紙Ｐは、合流部Ｇ２よりも下流側の予め定められた区間における第５用紙搬送経路部Ｒ５を構成する壁面に接触すると、壁面に沿って、第５用紙搬送経路部Ｒ５の下流側へ搬送される。
【００５９】
また、図８（ｂ）に示すように、用紙Ｐが、合流部Ｇ２よりも上流側で第６用紙搬送経路部Ｒ６上を搬送されている場合がある。この場合、合流部Ｇ２よりも下流側における第６用紙搬送経路部Ｒ６を構成する壁面の一部が回転することにより、合流部Ｇ２よりも下流側の予め定められた区間において、第６用紙搬送経路部Ｒ６の幅が、下流側に進むにしたがって狭くなるように構成される。また、合流部Ｇ２よりも上流側における第５用紙搬送経路部Ｒ５を構成する壁面の一部が回転することにより、回転した壁面は、用紙搬送経路外に退避する。そして、用紙Ｐは、合流部Ｇ２よりも下流側の予め定められた区間における第６用紙搬送経路部Ｒ６を構成する壁面に接触すると、壁面に沿って、第６用紙搬送経路部Ｒ６の下流側へ搬送される。
【００６０】
このように、用紙搬送経路部を構成する壁面が回転する構成によっても、用紙Ｐは、一方の用紙搬送経路部への搬送の案内がされる。また、用紙Ｐの他方の用紙搬送経路部への搬送が規制されることとなる。この構成例では、第５用紙搬送経路部Ｒ５を構成する壁面、および第６用紙搬送経路部Ｒ６を構成する壁面は、搬送経路切替部としての一例である。
【００６１】
＜反転搬送ロールの他の構成例＞
次に、反転搬送ロール７４と第３搬送ロール７３との他の構成例について説明する。
図９は、反転搬送ロール７４と第３搬送ロール７３との他の構成例を示した図である。なお、図２に示した構成と同様な構成については同一の符号を用いる。
【００６２】
図９に示すように、反転搬送ロール７４の駆動ロールと、第３搬送ロール７３の駆動ロールとを、共用部の一例としての共用ロール８２として、反転搬送ロール７４と第３搬送ロール７３との一部を構成する。
【００６３】
共用ロール８２が第３搬送ロール７３として機能する場合、共用ロール８２は、図中反時計回り方向（図中矢印Ｄ方向）へ回転し、用紙Ｐを排出トレイ５１へ排出する。また、共用ロール８２が反転搬送ロール７４として機能する場合、共用ロール８２は、まず、図中時計回り方向（図中矢印Ｅ方向）へ回転し、用紙Ｐの後端を一方搬送ゲート８０よりも下流側へ搬送する。その後、共用ロール８２は、図中矢印Ｄ方向へ回転し、用紙Ｐを分岐ロール７５へ向けて搬送する。
【符号の説明】
【００６４】
１…画像形成システム、２…画像形成装置、１０…画像形成部、２１…給紙部、５１…排出トレイ、５２…サイドトレイ、６０…後処理装置、６１…排出口、７１…第１搬送ロール、７２…第２搬送ロール、７３…第３搬送ロール、７４…反転搬送ロール、７５…分岐ロール、７６…第１切替ゲート、７７…第２切替ゲート、７８…第３切替ゲート、７９…第４切替ゲート、８０…一方搬送ゲート、８１…回転ゲート、８２…共用ロール、Ｒ１…第１用紙搬送経路部、Ｒ２…第２用紙搬送経路部、Ｒ３…第３用紙搬送経路部、Ｒ４…第４用紙搬送経路部、Ｒ５…第５用紙搬送経路部、Ｒ６…第６用紙搬送経路部、Ｇ１〜Ｇ２…合流部、Ｂ１〜Ｂ４…分岐部、ＰＳ…位置検知部
【図１】
0006682798.tif 000002
【図２】
0006682798.tif 000003
【図３】
0006682798.tif 000004
【図４】
0006682798.tif 000005
【図５】
0006682798.tif 000006
【図６】
0006682798.tif 000007
【図７】
0006682798.tif 000008
【図８】
0006682798.tif 000009
【図９】
0006682798.tif 000010